(57)【特許請求の範囲】
【請求項１】
ホルダー本体（１）にロールペーパー（Ｐ）が着脱自在に枢支され、弾性体（９ｅ）の附勢によりロールペーパー（Ｐ）の切断される面から常時は上方の離れた位置にある刃体（９ｂ）が、待機位置から切断完了位置への切断操作レバー（９ｃ）の押し下げ操作に伴い下動してロールペーパー（Ｐ）を切断するようにしたトイレットペーパー切断装置において、
常時は弾性体（５ａ）の附勢により切断されるロールペーパー（Ｐ）の切断面の後方側に位置すると共に、切断操作レバー（９ｃ）の操作に伴い切断端縁部（Ｐｆ）の付近を係止し、切断後の弾性体（９ｅ）による切断操作レバー（９ｃ）の戻り動作に連動して、この係止した切断端縁部（Ｐｆ）をホルダー本体（１）から手前側へ引き出すよう動作し、かつ、切断操作レバー（９ｃ）が上記待機位置への復帰にいたる迄には上記連動が解除になり、これに伴い上記係止を解除して弾性体（５ａ）の張力により上記後方側位置に戻るように構成されている引掛体（５ｆ）を有しているトイレットペーパー切断装置。
【請求項２】
引掛体（５ｆ）の上記係止位置は上記切断端縁部（Ｐｆ）の切断面の左右方向中央部付近となるように形成し、引掛体（５ｆ）による上記引き出し動作の際に切断端縁部（Ｐｆ）の切断面の左右側部分が衝突してこの左右側部分を下方へ折り曲げるように作用する切断端縁部押え体（６）を有している請求項１記載のトイレットペーパー切断装置。
【請求項３】
引掛体（５ｆ）の左右外方付近における上記切断端縁部（Ｐｆ）の付近を上方より押える押え体（１１）を切断端縁部押え体（６）の上方に設けた請求項１、又は２記載のトイレットペーパー切断装置。
【請求項４】
引掛体（５ｆ）は、ホルダー本体（１）に軸支された基部軸（５ｂ）と、基部軸（５ｂ）から突設された突設部（５ｃ）を有し、切断操作レバー（９ｃ）にはフック部（９ｄ）を設け、上記待機位置では突設部（５ｃ）はフック部（９ｄ）に係合されず、上記切断操作レバー（９ｃ）の戻り動作時に、突設部（５ｃ）はフック部（９ｄ）に係合され、上記係止された切断端縁部（Ｐｆ）の引掛体（５ｆ）による上記手前側への引き出し動作を行い、切断操作レバー（９ｃ）の上記待機位置への復帰にいたる迄には、突設部（５ｃ）はフック部（９ｄ）との上記係合が解除され、切断端縁部（Ｐｆ）との上記係止を解除して上記後方側位置に戻るように構成されている請求項１、２、又は３記載のトイレットペーパー切断装置。
【請求項５】
ホルダー本体（１）にはロールペーパー（Ｐ）を着脱するための開口部（１ｇ）が形成され、ロールペーパー（Ｐ）を挿着しているホルダー本体（１）に被さり、かつ、被さった状態でホルダー本体（１）との間に切断端縁部（Ｐｆ）が引き出される開口部（８）が形成されているホルダーカバー（２）を、ホルダー本体（１）へ開口回動可能に取り付け、刃体（９ｂ）及び切断操作レバー（９ｃ）は、ホルダーカバー（２）に設けている請求項１、２、３又は４記載のトイレットペーパー切断装置。
【発明の詳細な説明】
【０００１】
【発明の属する技術分野】
本発明はトイレットペーパー切断装置に関するものである。
【０００２】
【従来の技術】
従来のロールペーパーのホルダーの使用法では、ペーパーを切断する場合、所要の長さ分ペーパーを引き出した後、片手でペーパー押え板を押えて、ロールペーパーの回転を止め、他方の手によりペーパーをペーパー押え板の前端縁部に沿って上向きに引っ張りペーパーを切断していた。
上記使用法に対しては、一方の手によりペーパー押え板を押えることなく片手でペーパーを引っ張りその切断ができる装置も考案されている。
その他、例えばホテルなどでは客へのサービスのために、客がペーパーを引き出しやすく、また見た目にも良いように、ペーパー押え板の前端縁部に沿って切断されたペーパーの前端部分をペーパー押え板の前端縁部から若干引き出した後、この引き出した端部を三角状に折ることもなされている。
この場合、人手によって、ペーパーの端縁部は三角状に折られるが、その代わりに、ペーパーを両手で切断した後、レバー操作で三角状の型にペーパーを被せる形でペーパーを折り曲げる装置も見られる。
【０００３】
【発明が解決しようとする課題】
上記、片手でもってペーパーを引っ張ることによりその切断ができる装置に於ては、次の使用者がペーパーを引き出す場合、ペーパーの先端部分がペーパー押え板の前端縁部の内側にあり、ペーパー押え板を持ち上げる等してペーパーの前端縁部を摘まなければならず面倒である。このことは一般のホルダーについてもいえる。
また、ペーパーを両手で切断した後、レバー操作で三角状の型にペーパーを被せる形でペーパーを折り曲げる上記装置に於ては、両手でペーパーを切断した後、三角状の型にペーパーを被せるためのレバー操作を改めてしなくてはならずわずわらしい。
【０００４】
本発明は上述の問題点に鑑みてなされたものであり、使用に際して、片手によるワンタッチの押し下げ操作のみで、ペーパーの切断と、次の使用者がペーパーを引きだし易いようにロールペーパーの前方端縁部をホルダー外に突出させることの両方の機能をもたせたロールペーパーホルダーを提供せんとするものであり、更にその突出のさせ方に於て、次の使用者が摘んで引き出し易く、しかも、見た目にもよいようにペーパーが三角状に折り曲げられて突出させるようにしたロールペーパーホルダーを提供せんとするものである。
【０００５】
【課題を解決するための手段】
そして、本発明の要旨は次の構成にある。
ホルダー本体（１）にロールペーパー（Ｐ）が着脱自在に枢支され、弾性体（９ｅ）の附勢によりロールペーパー（Ｐ）の切断される面から常時は上方の離れた位置にある刃体（９ｂ）が、待機位置から切断完了位置への切断操作レバー（９ｃ）の押し下げ操作に伴い下動してロールペーパー（Ｐ）を切断するようにしたトイレットペーパー切断装置において、常時は弾性体（５ａ）の附勢により切断されるロールペーパー（Ｐ）の切断面の後方側に位置すると共に、切断操作レバー（９ｃ）の操作に伴い切断端縁部（Ｐｆ）の付近を係止し、切断後の弾性体（９ｅ）による切断操作レバー（９ｃ）の戻り動作に連動して、この係止した切断端縁部（Ｐｆ）をホルダー本体（１）から手前側へ引き出すように動作し、かつ、切断操作レバー（９ｃ）が上記待機位置への復帰にいたる迄には上記連動が解除になり、これに伴い上記係止を解除して弾性体（５ａ）の張力により上記後方側位置に戻るように構成されている引掛体（５ｆ）を有している構成をなすトイレットペーパー切断装置である。
【０００６】
更に、上記構成に折り曲げ機能を持たせた場合は、引掛体（５ｆ）の上記係止位置は上記切断端縁部（Ｐｆ）の切断面の左右方向中央部付近となるように形成し、引掛体（５ｆ）による上記引き出し動作の際に切断端縁部（Ｐｆ）の切断面の左右側部分が衝突してこの左右側部分を下方へ折り曲げるように作用する切断端縁部押え体（６）を有している構成となる。
【０００７】
また、切断端縁部（Ｐｆ）が引き出される時、より確実に切断端縁部（Ｐｆ）を上記切断端縁部押え体（６）に衝突させるために、引掛体（５ｆ）の左右外方付近における上記切断端縁部（Ｐｆ）の付近を上方より押える押え体（１１）を切断端縁部押え体（６）の上方に設けてもよい。
【０００８】
更にまた、引掛体（５ｆ）は、ホルダー本体（１）に軸支された基部軸（５ｂ）と、基部軸（５ｂ）から突設された突設部（５ｃ）を有し、切断操作レバー（９ｃ）にはフック部（９ｄ）を設け、上記待機位置では突設部（５ｃ）はフック部（９ｄ）に係合されず、上記切断操作レバー（９ｃ）の戻り動作時に、突設部（５ｃ）はフック部（９ｄ）に係合され、上記係止された切断端縁部（Ｐｆ）の引掛体（５ｆ）による上記手前側への引き出し動作を行ない、切断操作レバー（９ｃ）の上記待機位置への復帰にいたる迄には、突設部（５ｃ）はフック部（９ｄ）との上記係合が解除され、切断端縁部（Ｐｆ）との上記係止を解除して上記後方側位置に戻るように構成されている。
【０００９】
また、ホルダー本体（１）にはロールペーパー（Ｐ）を着脱するための開口部（１ｇ）が形成され、ロールペーパー（Ｐ）を挿着しているホルダー本体（１）に被さり、かつ、被さった状態でホルダー本体（１）との間に切断端縁部（Ｐｆ）が引き出される開口部（８）が形成されているホルダーカバー（２）を、ホルダー本体（１）へ開口回動可能に取り付け、刃体（９ｂ）及び切断操作レバー（９ｃ）は、ホルダーカバー（２）に設けている構成としている。
【００１０】
【作用】
まず、ロールペーパーＰをホルダー本体１にセットした後、最初だけはロールペーパーＰの端縁部をホルダー本体１の手前側に引き出しておく。
次に、切断操作レバー９ｃを押し下げると、これに伴い刃体９ｂがその待機位置より下動してペーパーを切断し、切断完了位置にいたる。
次に、切断操作レバー９ｃを離すと弾性体９ｅの張力により切断操作レバー９ｃは戻り動作に入る。この時、切断操作レバー９ｃの戻り動作と連動してロールペーパーＰの切断端縁部Ｐｆの付近を切断操作レバー９ｃの操作に伴う刃体９ｂによる後記作用によりすでに係止している引掛体５ｆが、切断端縁部Ｐｆを係止したままこれをホルダー本体１の手前側に引き出す。
この場合、切断端縁部Ｐｆとは、ホルダー本体１に枢支されているロールペーパーＰの側の切断面より後方側の引掛体５ｆにより引き出される部分をさす。
その後、切断操作レバー９ｃが待機位置に復帰する迄には引掛体５ｆとの上記連動が解除になり、引掛体５ｆは弾性体５ａの張力により元の位置に復帰する。
この時、引掛体５ｆと切断端縁部Ｐｆとの上記係止も解除になる構成としているので、引き出された切断端縁部Ｐｆはホルダー本体１の手前側に残る。そして切断操作レバー９ｃは元の待機位置に復帰する。
【００１１】
また、切断端縁部押え体６が付加された場合には、引掛体５ｆは切断端縁部Ｐｆの左右方向中央部付近となるように形成されており、切断端縁部Ｐｆが引き出される時、切断端縁部Ｐｆの切断面の左右側部分は切断端縁部押え体６に衝突するが切断端縁部押え体６は切断端縁部Ｐｆの左右側部分を下方に折り曲げるように作用するように構成されているので切断端縁部Ｐｆは折り曲げられつつ引き出される。
【００１２】
【実施例】
以下、本発明の実施例について図面を参照しつつ説明する。図１は本発明のホルダー本体１にホルダーカバー２が被さった状態を示す一部を切欠して示した斜視図であり、図２はホルダー本体１よりホルダーカバー２を開けた状態を示す斜視図、図３はホルダーカバー２の一部を切欠して示した斜視図、図４はホルダーの側部の一部を切欠して示した側面図である。
【００１３】
図中、１はホルダー本体である。該ホルダー本体１は側部１ａ、１ａと、前壁部１ｂと、後壁部１ｃからなる枠型をなしている。また、ロールペーパーＰのセットの際には、前壁部１ｂの上面をロールペーパーＰの端部が渡されセットされる。
また、前壁部１ｂの上面の中央部前方には凹部１ｅと、該凹部１ｅの下方には切欠口１ｄを設けている。
また、３は図２に示される如くホルダー本体１の左右側部１ａ、１ａ間に取り付けられたロールペーパー保持部である。該ロールペーパー保持部３はロールペーパーＰの中央部の穴に通される筒３ａと該筒３ａを回動自在に挿通する軸３ｂとからなり、該軸３ｂは左右側部１ａ、１ａの内側に取り付けられたＵ字型受け３ｃ、３ｃと係合している。尚、筒３ａは軸３ｂを挿通したままホルダー本体１より脱着自在の構造をなしている。
また、ホルダー本体１に、該ホルダー本体１に取り付けられた後記ホルダーカバー２を開けロールペーパーＰをセットする場合、ホルダー本体１は上下方向に開口部１ｇを形成している。
４、４はホルダー本体１の側部１ａ、１ａに於ける後部側上端に取着した軸杆であり、後記ホルダーカバー２を枢着する為のものである。尚、１ｆ、１ｆはホルダーを壁に取り付けるためのビス穴である。
【００１４】
５はペーパー引き出し部である。該ペーパー引き出し部５は図１に示される如くホルダー本体１に前壁部１ｂと平行して設けられた基部軸５ｂと、突設部５ｃ、５ｃと、連結杆５ｄと、引掛体５ｆとからなる。尚、突設部５ｃ、５ｃは突起状形状をなす構成としている。
また、基部軸５ｂはホルダー本体１の左右側部１ａ、１ａの前方下方間に軸支５ｅ、５ｅされ、且つ左右側部１ａ、１ａの外側に若干突出し、且つ回動自在に取り付けられる。
更に、突設部５ｃ、５ｃは基部軸５ｂの両端に後壁部１ｃ側に向かい伸び所要の長さで取り付けられ、連結杆５ｄは基部軸５ｂの中央部より前壁部１ｂに設けた切欠口１ｄを通り垂直に前壁部１ｂの前面に沿い上方に伸び、さらに該連結杆５ｄの先端部には斜め前方上方に向け若干曲がり、且つ先の尖った突起状形状をなす引掛体５ｆを設けており、引掛体５ｆは連結杆５ｄと共に前壁部１ｂからホルダー本体１の手前側に回動するよう取り付けられる。
尚、引掛体５ｆは連結杆５ｄに一端を取付け、他端を前壁部１ｂの後面に該連結杆５ｄに沿い取り付けた弾性体５ａにより、常時に於て後記刃体９ｂの回動面の後側に位置する前壁部１ｂの凹部１ｅ内にいたる迄附勢されており、更に前壁部１ｂの上面より若干突出するよう取り付けられている。
尚、弾性体５ａは本実施例ではコイルバネを使用したが、スポンジのような弾力のあるもの、あるいはキックバネ、あるいは押しバネ等、色々使用できる。
【００１５】
６は切断端縁部押え体である。該切断端縁部押え体６は後記刃体９ｂの回動面より前方に位置するよう前壁部１ｂに取り付けられ、左右外側部分より内側中央部寄りにかけて下方に傾斜し、且つ内側が前方に向け若干突出するよう取り付けられている。
更に、切断端縁部押え体６は左右外側部に於てペーパーの切断面の両端部より外側に位置し、且つ左右外側部よりに於て、引掛体５ｆの回動面より上方に位置し、内側中央部よりに於て、該引掛体５ｆの回動面の下方に位置するよう取り付けられると共にその中央部に引掛体５ｆの手前側への回動を可能にする中央開口部７を有するよう取り付けられる。
【００１６】
２はホルダーカバーである。該ホルダーカバー２は図３に示される如く、左右側部２ａ、２ａと、上前壁部２ｂと、天壁部２ｃとからなる枠型をなしている。
更に、左右側部２ａ、２ａの後部側上端に穴２ｄ、２ｄが設けられ前記ホルダー本体１の左右側部１ａ、１ａの後部側上端に取着した軸杆４、４が挿通されホルダー本体１に開口回動可能に被さる。
また、ホルダーカバー２がホルダー本体１に被さった時、ホルダー本体１の側部１ａ、１ａとホルダーカバー２の側部２ａ、２ａはホルダーカバー２の側部２ａ、２ａの方がホルダー本体１の側部１ａ、１ａより外側にあり、後記装置の各部の部材が取り付けられるための間隔を有している。
更に、ホルダーカバー２の上前壁部２ｂはホルダー本体１に被さった時、前壁部１ｂとの間にペーパーが通過する開口部８を有すると共に左右側部内側に後記切断操作レバー部９の支持杆９ａ、９ａが上下方向に通過するための切欠口２ｅ、２ｅが設けられている。
【００１７】
９は切断操作レバー部である。該切断操作レバー部９は図３で示される如く、前記ホルダーカバー２の左右側部２ａ、２ａの後部に基端部を軸支２ｆ、２ｆされ左右側部２ａ、２ａの内側に沿って上下方向に自在に回転する支持杆９ａ、９ａと、取っ手９１からなる切断操作レバー９ｃと、該支持杆９ａ、９ａの前方部間に取り付けられるのこぎり刃状形状をなす刃体９ｂと、フック部９ｄ、９ｄとからなる平面コ字状をなしている。
更に、刃体９ｂは一端を該切断操作レバー部９の支持杆９ａ、９ａに取り付け、他端をホルダーカバー２の側部２ａ、２ａに取り付けた弾性体９ｅ、９ｅにより刃体９ｂを上記前壁部１ｂにあるロールペーパーＰの上方の離れた位置である待機位置にいたる迄附勢されている。
尚、弾性体９ｅは本実施例ではコイルバネを使用したがスポンジのような弾力のあるもの、あるいはキックバネ、あるいは押しバネ等、色々使用できる。
また、取っ手９１はホルダーカバー２の上前壁部２ｂの切欠口２ｅ、２ｅを通る支持杆９ａ、９ａの先端間に取り付けられ上前壁部２ｂの外側に位置するよう取り付けられる。尚、切断操作レバー９ｃは取っ手９１を押し下げることにより操作される。
また、刃体９ｂは切断操作レバー９ｃの回動時に、ホルダー本体１の前壁部１ｂの上面前方のへりを刃体９ｂが沿って回動するよう支持杆９ａ、９ａの間に位置ぎめされ取り付けられる。
【００１８】
９ｄ、９ｄはフック部である。該フック部９ｄ、９ｄは切断操作レバー９ｃの支持杆９ａ、９ａの前方部よりに設けられ、支持杆９ａ、９ａから下方に伸び取り付けられた操作杆９ｆ、９ｆと、操作杆９ｆ、９ｆの先端部に取り付けられた一方の鋭角部を下方に向け、且つ相互に同じ向きになるよう取り付けられ、更に常時に於て突設部５ｃ、５ｃを下方に臨み取り付けられる直角三角状フック９ｇ、９ｇとからなる。
また、直角三角状フック９ｇ、９ｇは切断操作レバー９ｃが押し下げられた後の復帰過程に於て、ペーパー引き出し部５の突設部５ｃ、５ｃを一定間上向きに押し上げる形で係合し、その後、該係合を解除するように取付けられる。
更にまた、切断操作レバー９ｃが押し下げられる時には直角三角状フック９ｇ、９ｇの斜面部９ｈ、９ｈがペーパー引き出し部５の突設部５ｃ、５ｃに当たるよう位置ぎめされ取り付けられている。
【００１９】
更に、フック部９ｄの取付位置の前方には図３に示される如くＵ字型突起９ｉ、９ｉが取り付けられている。該Ｕ字型突起９ｉ、９ｉは後記ペーパー押え部１０の支持杆１０ａ、１０ａの折曲部を該Ｕ字型突起９ｉ、９ｉ内に位置させ、保持させる為のものである。
【００２０】
また、Ｕ字型突起９ｉ、９ｉの下方には後記ペーパー押え部１０を切断操作レバー部９に張設して保持させるためのコイルバネ９ｋ、９ｋの一端を取付けるための突起９ｊ、９ｊを切断操作レバー９ｃの支持杆９ａ、９ａより下向きに取り付けている。
【００２１】
１０はペーパー押え部である。該ペーパー押え部１０は図３に示される如く切断操作レバー９ｃの支持杆９ａ、９ａの前方寄りで、支持杆９ａ、９ａの間に架設されるもので、支持杆９ａ、９ａの間に位置するペーパー押え板１０ｂと、該ペーパー押え板１０ｂの両端部より上方に伸びる支持杆１０ａ、１０ａからなる。尚、該支持杆１０ａ、１０ａはその先端部で支持杆９ａ、９ａより外側に折曲する構造をなしており、切断操作レバー９ｃ上のＵ字型突起９ｉ、９ｉ内に支持杆１０ａ、１０ａの上記折曲部が架け渡されている。
また、ペーパー押え部１０と切断操作レバー部９は切断操作レバー９ｃの突起９ｊ、９ｊの先端に一端を取付け、他端をペーパー押え部１０の支持杆１０ａ、１０ａの上記折曲部の先端間に張設して取り付けたコイルバネ９ｋ、９ｋにより相互に引き合い接合しており、ペーパー押え部１０は切断操作レバー９ｃと一体に上下方向に回動できる構成となっている。
また、ペーパー押え板１０ｂは図３に示される如く刃体９ｂの先端部より若干下方に位置し、且つ刃体９ｂの後方に位置するよう取り付けられ、常時は上記待機位置にある刃体９ｂと共にロールペーパーＰの切断面の上方に位置するように取り付けられる。
尚、ペーパー押え板１０ｂは切断操作レバー９ｃが押し下げられた時、ホルダー本体１の前壁部１ｂの上面と重なるよう位置決めされ取り付けられている。
【００２２】
また、ペーパー押え板１０ｂの中央部前方には切欠口１０ｃが設けられている。切欠口１０ｃはペーパー押え板１０ｂがホルダー本体１の前壁部１ｂの上面に重なった時、前壁部１ｂの凹部１ｅ内に位置するペーパー引き出し部５の引掛体５ｆが該切欠口１０ｃ内に位置するように取り付けられている。
【００２３】
１１、１１は押え体である。該押え体１１、１１は図６に示される如くホルダーカバー２の上前壁部２ｂの裏面に取り付けた軸受１１ｂ、１１ｂに回動自在に挿通され取り付けられる軸１１ａに下方に向け取り付けられ、該押え体１１、１１は、切断端縁部Ｐｆが引掛体５ｆにより引き出される時に、上方より切断端縁部Ｐｆを押え、押圧する構成としている。
【００２４】
そして、本実施例の場合の作用は次の通りである。
図４は刃体９ｂが上記待機位置にあるホルダーの側面図、図５は刃体９ｂの切断完了位置を示すホルダーの要所拡大斜視図、図６は押え体１１の斜視図、図７、８、９、１０は切断操作レバー９ｃの復帰過程の作用説明図、図１０はその復帰過程完了後のホルダーの斜視図である。
まず、図２に示される如くホルダーカバー２を開けて、ロールペーパー保持部３の筒３ａを該筒３ａに挿通された軸３ｂをつけたまま取り外し、ロールペーパーＰの中心の穴に筒３ａを差し込んだ後、開口部１ｇよりホルダー本体１のＵ字型受け３ｃ、３ｃ内に軸３ｂをセットする。
次に、ロールペーパーＰの端縁部を予めホルダー本体１の前壁部１ｂの上面をへて、その外側に引き出した後、ホルダーカバー２をホルダー本体１に被せる。
【００２５】
尚、この状態で図４に示される如くホルダーカバー２の上前壁部２ｂと前壁部１ｂの上面との間にはペーパーが通過する開口部８が形成されている。
また、ペーパー引き出し部５の引掛体５ｆはホルダー本体１の前壁部１ｂの上面の凹部１ｅ内にあり、若干その上面より突出し、且つ刃体９ｂの通過面の後側に位置する。
【００２６】
次に、使用者は所要の長さのペーパーを引き出した後、切断操作レバー９ｃの取っ手９ｌを押え、その待機位置から切断完了位置迄押し下げる。その間の各部の態様を順を追って説明する。
まず、切断操作レバー９ｃの押し下げに伴い、刃体９ｂと共にペーパー押え部１０のペーパー押え板１０ｂも下降し、やがてペーパー押え板１０ｂはホルダー本体１の前壁部１ｂの上面にペーパーを間に挟んで接合する。
【００２７】
さらに切断操作レバー９ｃが押し下げられると、刃体９ｂがホルダー本体１の前壁部１ｂの上面前方のへりに沿ってペーパーの切断を開始する。この場合、ペーパーは切断面の後側がペーパー押え板１０ｂにより押えられているので容易に切断される。
また、この時、切断操作レバー９ｃが押し下げられても、ペーパー押え板１０ｂはホルダー本体１の前壁部１ｂの上面に位置する。
また、切断操作レバー９ｃの押し下げ動作に伴い、切断操作レバー９ｃの支持杆９ａ、９ａのＵ字型突起９ｉ、９ｉとペーパー押え部１０の支持杆１０ａ、１０ａの折曲部は離れ、突起９ｊ、９ｊと支持杆１０ａ、１０ａ間のコイルバネ９ｋ、９ｋは伸び続け、その張力によりペーパー押え板１０ｂをして前壁部１ｂの上面をペーパーを挟んで押圧せしめる。
さらに切断操作レバー９ｃが押し下げられると、ペーパーの切断は完了し、図５に示される如く刃体９ｂは切断完了位置にいたる。
また、ペーパーの切断時に於て、前壁部１ｂの凹部１ｅ内にあり該前壁部１ｂの上面に突出する引掛体５ｆ上のペーパーは後側がペーパー押え板１０ｂにより押えられ、前側は刃体９ｂによるペーパー切断による下方へのテンションを受けることにより容易に引掛体５ｆに貫通され、係止される。
また、上記下方へのテンションが小さい場合、図１２に示される如く刃体９ｂの下限時に引掛体５ｆが中に入るように押え枠９ｍを刃体９ｂの上方に設け、強制的に切断端縁部Ｐｆを上方より押え引掛体５ｆに貫通させ係止させてもよい。
【００２８】
また、他方で、切断操作レバー部９の直角三角状フック９ｇ、９ｇの動きは下記の通りである。
まず、図４に示される如く刃体９ｂの上記待機位置では、直角三角状フック９ｇ、９ｇはペーパー引き出し部５の突設部５ｃ、５ｃの上方に位置し、突設部５ｃ、５ｃとは係合していない。更に切断操作レバー９ｃが押し下げられると、それに伴いやがて突設部５ｃ、５ｃに該直角三角状フック９ｇ、９ｇの斜面部９ｈ、９ｈが当たり直角三角状フック９ｇ、９ｇはペーパー引き出し部５の突設部５ｃ、５ｃを側部より押圧する。
この時、ペーパー引き出し部５の基部軸５ｂは左右方向に振れる若干のあそびをもたせているため、押圧された方向に少し振れ直角三角状フック９ｇ、９ｇはスムースに突設部５ｃ、５ｃの側部を通過する。
尚、ペーパー引き出し部５は押された方向に少し振れるが、該直角三角状フック９ｇ、９ｇが通過した後はペーパー引き出し部５とホルダー前壁部１ｂ間に取り付けられた弾性体５ａにより横向きに引っ張られもとの位置に戻る。
やがて、図５に示される如く切断操作レバー９ｃが切断完了位置迄押し下げられた時、直角三角状フック９ｇ、９ｇはペーパー引き出し部５の突設部５ｃ、５ｃの下方に位置する。
【００２９】
次に、使用者は切断操作レバー９ｃを離す。すると切断操作レバー９ｃは弾性体９ｅ、９ｅの張力により戻り動作に入る。
まず、切断操作レバー９ｃの直角三角形状フック９ｇ、９ｇは図１０に示される如く切断操作レバー９ｃの支持杆９ａ、９ａの軸支２ｆ、２ｆ点を中心とする円の軌跡２ｇ上を動く。やがて直角三角状フック９ｇ、９ｇは図７に示される如くペーパー引き出し部５の突設部５ｃ、５ｃの下方に当たり係合する。
【００３０】
また他方、この時点で、切断操作レバー９ｃの支持杆９ａ、９ａ上のＵ字型突起９ｉ、９ｉとペーパー押え部１０の支持杆１０ａ、１０ａの上記折曲部は図１０に示される如くすでに再び接合しており、ペーパー押え板１０ｂは支持杆９ａ、９ａにより持ち上げられ、同時に上昇している刃体９ｂと共に、引掛体５ｆの後側からの回動を可能にする開口を有する迄もち上げられている。
尚、刃体９ｂが切断完了位置より該開口を有するにいたる迄上昇する時、引掛体５ｆと切断端縁部Ｐｆとの係止状態は引掛体５ｆが前方斜め上方に向け曲がっているので切断端縁部Ｐｆから抜け出て外れることはない。
【００３１】
次に、さらに切断操作レバー９ｃが上昇すると、図８に示される如く切断操作レバー部９の直角三角状フック９ｇ、９ｇによりペーパー引き出し部５の突設部５ｃ、５ｃは下方より押圧され上向きに回転する。それに伴い、突設部５ｃ、５ｃに連なる引掛体５ｆもペーパーの切断端縁部Ｐｆを係止したままホルダー本体１の前壁部１ｂの手前側下方方向に回転し切断端縁部Ｐｆは引き出される。
【００３２】
また、切断端縁部Ｐｆが引き出される時、図８に示される如く、まず切断端縁部Ｐｆの切断面はその左右側部分に於ては切断端縁部押え体６の下方に位置し、その切断面の中央部付近においては切断端縁部押え体６の上方に位置するよう引き出され、やがて、該切断端縁部押え体６の略中央部６ａ、６ａに衝突する。
この場合、押え体１１、１１による切断端縁部Ｐｆの上方からの押圧により、より確実に切断端縁部Ｐｆの切所面は切断端縁部押え体６に衝突する。
【００３３】
更に切断操作レバー９ｃが上昇し、ペーパー引き出し部５の引掛体５ｆが手前側下方に回転すると図９に示される如く切断端縁部Ｐｆの切断面の左右側部分は切断端縁部押え体６に沿い下方に折り込まれる。
他方で、切断端縁部Ｐｆの切断面の中央部分は切断端縁部押え体６を下にして引き出される。つまり切断端縁部Ｐｆは切断端縁部押え体６に沿って切断面を裏側にして折り曲げられ、前壁部１ｂの手前側に引き出される。
この場合、切断端縁部押え体６は前方に向かって先端部が若干斜めに突出して構成されていることにより、切断端縁部Ｐｆの切断面は斜めに切断端縁部押え体６にあたり、よりスムースに折り曲げられて引き出される。
また更に、切断操作レバー９ｃが上昇すると、図１０で示される如く切断操作レバー部９の直角三角状フック９ｇ、９ｇの回動軌跡２ｇとペーパー引き出し部５の突設部５ｃの先端部の、軸支５ｅ、５ｅ点を中心とする回動軌跡５ｇが交わる点５ｈに至り、該交わり点５ｈより上方で両者の係合関係は解除される。
その後は、図１１に示される如く切断操作レバー９ｃが更に上昇して上記待機位置迄いたる。またペーパー引き出し部５は弾性体５ａの張力により元の位置に戻る。また同時に、引掛体５ｆも、引き出した切断端縁部Ｐｆとの係止を解除して、折り畳まれた切断端縁部Ｐｆをホルダー本体１の手前側に残し、前壁部１ｂの凹部１ｅ内迄引き戻される。
【００３４】
尚、この場合、切断端縁部Ｐｆを係止した引掛体５ｆと切断端縁部Ｐｆとの係止状態の解除であるが、引掛体５ｆは前方斜め上方に若干屈曲しているため、後方へ向け回転する引掛体５ｆは容易に貫通係止した切断端縁部Ｐｆより抜けでて、切断端縁部Ｐｆが折り曲げられていることにより切断端縁部Ｐｆにこしができていることも加わり、切断端縁部Ｐｆを後方に引き摺ることなく上記係止状態を解除し元の位置に復帰するものである。
【００３５】
また、これ迄ホルダー本体１に切断端縁部押え体６を設けた場合を示してきたが、これを設けない構成も考えられる。
【００３６】
この場合の作用はペーパーは折られずに引き出され、その後引き出された切断端縁部Ｐｆをホルダー外に残し引掛体５ｆはもとに戻る。
【００３７】
【発明の効果】
【００３８】
請求項１の発明によれば、ロールペーパーＰの切断動作と切断後の切断端縁部Ｐｆをホルダー本体１から手前側へ引き出す動作とが切断操作レバー９ｃを押し下げるという単一の操作のみによって簡単に行なわれるため、使用者はホルダー本体１から手前側に引き出された切断端縁部Ｐｆを直ちに手で摘んで使用することができて、使用の簡単なトイレットペーパー切断装置を提供することができた。
【００３９】
請求項２の発明によれば、切断操作レバー９ｃの上記戻り動作の際に、切断端縁部Ｐｆの切断面の左右方向中央部付近を上記係止している引掛体５ｆが切断端縁部Ｐｆを手前側に引き出すと共に、この引き出し動作の際に切断端縁部Ｐｆの切断面の左右側部分が切断端縁部押え体６に衝突して左右側部分が下方に折り曲げられるので、ホルダー本体１から手前側へ引き出された切断端縁部Ｐｆは正面視で略三角状に折り曲げられる。このように略三角状に折り曲げられた切断端縁部Ｐｆは見た目にもよく、手で摘むのに容易であり、使用の簡単なトイレットペーパー切断装置を提供することができた。
【００４０】
請求項３の発明によれば、引掛体５ｆの左右外方付近における上記切断端縁部Ｐｆの付近を上方より押える押え体１１を切断端縁部押え体６の上方に設けているので、ロールペーパーＰの切断後の引掛体５ｆによる切断端縁部Ｐｆの引き出しの際、切断端縁部押え体６への係止動作は確実に行なわれて、動作ミスのないトイレットペーパー切断装置を提供することができた。
【００４１】
請求項４の発明によれば、引掛体５ｆはホルダー本体１に軸支された基部軸５ｂと基部軸５ｂから突設された突設部５ｃとを有して、切断操作レバー９ｃには、上記待機位置ではフック部９ｄは突設部５ｃに係合せず、切断操作レバー９ｃの復帰時に突設部５ｃに係合して、上記係止された切断端縁部Ｐｆの引掛体５ｆによる上記手前側への引き出し動作を行ない、切断操作レバー９ｃの上記待機位置への復帰にいたる迄にはフック部９ｄと突設部５ｃとの上記係合が解除にされるように構成されているフック部９ｄを設けるという、極めて簡易な構造によって上記所定の作用が得られるトイレットペーパー切断装置を提供することができた。
【００４２】
請求項５の発明によれば、ホルダー本体１にはロールペーパーＰを着脱するための開口部１ｇが形成され、ホルダーカバー２をホルダー本体１へ開口回動可能に取付け、刃体９ｂ及び切断操作レバー９ｃはホルダーカバー２に設けた構成としているので、ホルダーカバー２を開口回動する操作によって刃体９ｂ及び切断操作レバー９ｃはホルダー本体１から遠ざかって、ロールペーパーＰのホルダー本体１への挿着操作は容易となっている。
【図面の簡単な説明】
【図１】本発明のホルダー本体１にホルダーカバー２が被さった状態を示す一部を切欠して示した斜視図である。
【図２】本発明のホルダー本体１よりホルダーカバー２を開けた状態を示す斜視図である。
【図３】本発明のホルダーカバー２の一部を切欠して示した斜視図である。
【図４】本発明のホルダーの一部を切欠して示した側面図である。
【図５】本発明の刃体部の下限時を示す要所拡大斜視図である。
【図６】本発明の押え体を設けた１部を切欠して示した斜視図である。
【図７】本発明のホルダーの１部切欠して示した正面図であり作用説明図である。
【図８】本発明のホルダーの１部切欠して示した正面図であり作用説明図である。
【図９】本発明のホルダーの１部切欠して示した正面図であり作用説明図である。
【図１０】本発明のホルダーの１部切欠して示した正面図であり作用説明図である。
【図１１】本発明のホルダーの１部切欠して示した正面図であり作用説明図である。
【図１２】本発明の押え枠の取り付け例を示す要所拡大斜視図である。
【符号の説明】
Ｐ              ロールペーパー
Ｐｆ            切断端縁部
１              ホルダー本体
１ａ、１ａ      側部
１ｂ            前壁部
１ｃ            後壁部
１ｄ            切欠口
１ｅ            凹部
１ｆ、１ｆ      ビス穴
１ｇ            開口部
２              ホルダーカバー
２ａ、２ａ      側部
２ｂ            上前壁部
２ｃ            天壁部
２ｄ、２ｄ      穴
２ｅ、２ｅ      切欠口
２ｆ、２ｆ      軸支
２ｇ、２ｇ      フックの軌跡
３              ロールペーパー保持部
３ａ            筒
３ｂ            軸
３ｃ、３ｃ      Ｕ字型受け
４、４          軸杆
５              ペーパー引き出し部
５ａ            弾性体
５ｂ            基部軸
５ｃ、５ｃ      突設部
５ｄ、５ｄ      連結杆
５ｅ、５ｅ      軸支
５ｆ            引掛体
５ｇ、５ｇ      突設部先端の軌跡
５ｈ            交わり点
６              切断端縁部押え体
６ａ、６ａ      切断端縁部押え体の略中央部
７              中央部開口
８              開口部
９              切断操作レバー部
９ａ、９ａ      支持杆
９ｂ            刃体
９ｃ            切断操作レバー
９ｄ、９ｄ      フック部
９ｅ、９ｅ      弾性体
９ｆ、９ｆ      操作杆
９ｇ、９ｇ      直角三角状フック
９ｈ、９ｈ      三角状フックの斜面部
９ｉ、９ｉ      Ｕ字型突起
９ｊ、９ｊ      突起
９ｋ、９ｋ      コイルバネ
９ｌ            取っ手
９ｍ            押え枠
１０            ペーパー押え部
１０ａ、１０ａ  支持杆
１０ｂ          ペーパー押え板
１０ｃ          ペーパー押え板の切欠口
１１、１１      押え体
１１ａ          軸
１１ｂ、１１ｂ軸受
【図１】
0003826367.tif 000002
【図２】
0003826367.tif 000003
【図３】
0003826367.tif 000004
【図４】
0003826367.tif 000005
【図５】
0003826367.tif 000006
【図６】
0003826367.tif 000007
【図７】
0003826367.tif 000008
【図８】
0003826367.tif 000009
【図９】
0003826367.tif 000010
【図１０】
0003826367.tif 000011
【図１１】
0003826367.tif 000012
【図１２】
0003826367.tif 000013